(57)【要約】      （修正有）【課題】従前の写真帳の欠点を改善して、鑑賞時に感動を喚起し、利用用途を広げる写真帳を提供する。【解決手段】ポップアップ式写真帳は、該見開き頁２に畳み込んで収蔵した第１装飾用シート４の余白に写真７をプリント又は貼付し、該写真７を演出用装飾８施した周囲の装飾用シートと共にポップアップさせて鑑賞時に感動を与え、さらに単体としての用途のほかに、前記ポップアップ式写真帳を連接させて構成した立体式の冊子の用途と、立体状の空間構成態を保持、陳列してなる立体式写真展示体９の用途を備え、立体式アルバム、立体式グリーティングカード、立体式インテリア装飾体、立体式フォトフレーム、立体式パンフレット、等の多様な用途に供する。【選択図】図２
0003139232.tif 000002
【実用新案登録請求の範囲】
【請求項１】
左右頁からなる見開き体の見開き頁に、写真をプリント又は貼付する余白を設けた第１装飾用シートと、該第１装飾用シートの周辺に配した第２装飾用シートと、ポップアップ機構とを畳み込んで収蔵し、前記第１装飾用シートと前記第２装飾用シートは、前記ポップアップ機構を介して前記見開き頁に連結させ、該見開き頁を開く動作で前記ポップアップ機構を作動させて、前記第１装飾用シートと前記第２装飾用シートとを立体状の空間構成態に形成する、ポップアップ式写真帳。
【請求項２】
第１装飾用シートの余白以外の部分と、第２装飾用シートと、見開き頁の表面との、全て又はいずれかに、該第１装飾用シートの余白にプリント又は貼付する写真の内容を予測した演出用装飾を施した、請求項１に記載のポップアップ式写真帳。
【請求項３】
見開き体の左右頁の裏面に接着材料を塗布又は取り付けて、複数の該見開き体の左右頁を交互に貼り合わせて冊子とする構造を有する、請求項１又は２に記載のポップアップ式写真帳。
【請求項４】
見開き体の見開き頁、もしくは見開き体を貼り合わせて構成した冊子の見開き頁を開いて形成させた立体状の空間構築態を、クリップ式又はバインダー式の保持装具を用いて保持し、陳列して、立体式写真展示体とする、請求項１〜３のいずれか1項に記載のポップアップ式写真帳。
【考案の詳細な説明】
【技術分野】
【０００１】
本考案は、記録写真を収蔵する写真帳に関する。
【背景技術】
【０００２】
記録写真を収蔵し、該写真周辺に演出用装飾を設けた写真帳は従来から知られている。
【特許文献１】特許公開平８−２６７９５９
【特許文献２】特許公開平１１−３０１１３９
【特許文献３】特許公開平１１−３０１１５７
【特許文献４】登録実用新案第３０６４６３０号
【特許文献５】登録実用新案第３０３１６２１号
【考案の開示】
【考案が解決しようとする課題】
【０００３】
しかしながら、収蔵した記録写真は平面的に配置されており、写真周辺に施された演出用装飾も写真との関連が希薄であるために、鑑賞者に感動を喚起し得ない欠点があった。しかも用途が写真の収蔵と僅少な機会の鑑賞に限られているため、利用頻度も低い欠点があった。
【課題を解決するための手段】
【０００４】
本考案のポップアップ式写真帳は、左右頁からなる見開き体から成り、該見開き体の見開き頁に、写真をプリント又は貼付する余白を設けた第１装飾用シートと、該第１装飾用シートの周辺に配した第２装飾用シートと、ポップアップ機構とを畳み込んで収蔵し、前記第１装飾用シートと前記第２装飾用シートは、前記ポップアップ機構を介して前記見開き頁に連結させ、該見開き頁を開く動作で前記ポップアップ機構を作動させて、前記第１装飾用シートと前記第２装飾用シートとを立体状の空間構成態に形成させることと、前記第１装飾用シートの余白を除く部分と、前記第２装飾用シートと、前記見開き頁の表面との、全て又はいずれかに、前記第１装飾用シートの余白にプリント又は貼付する写真を予測した演出用装飾、例えば、誕生写真を予測し誕生を寿ぐ演出を表現した形状、図柄、彩色、文字、凹凸加工等、を施すことによって、前記見開き頁を開いて収蔵した写真を鑑賞する時に、該写真が周囲の第１装飾用シートと第２装飾用シートに施した演出用装飾と共にポップアップし、見開き頁の表面に施した演出用装飾を背景とした立体状の空間構成態となって鑑賞、閲覧することができる。前記見開き体の第１装飾用シートの余白への写真のプリント又は貼付は、複数の見開き体の中から、該写真の内容に相応しい演出用装飾を備えた見開き体を選定し、該第１装飾用シートの余白に写真をプリント又は貼付して行う。前記見開き体は、単体としての用途のほかに、見開き体の左右頁の裏面に接着材料を塗布又は取り付けた複数の見開き体の左右頁を交互に貼り合わせて連接し、立体式の冊子としての用途に供し、さらに見開き体の見開き頁、もしくは前記冊子の見開き頁を開いて形成した立体状の空間構成態を、クリップ式又はバインダー式の保持装具を用いて保持、陳列して、立体式写真展示体としての用途に供する。上記により、前項の課題を解決するものである。
【考案の効果】
【０００５】
本考案のポップアップ式写真帳は、見開き体の見開き頁内にプリント又は貼付して収蔵した写真が、鑑賞時、閲覧時に、周囲の演出用装飾と共に立体状の空間構成態となって眼前に広がり、ダイナミックな感動を与える立体式写真ボード、等の用途に成り、且つ単体としての用途のほかに、複数の見開き体を連接して冊子とし、立体式アルバム、等の用途に供することができる。さらに前記見開き体の見開き頁、もしくは連接して構成した前記冊子の見開き頁を開いて形成させた立体状の空間構成態を、保持装具を用いて保持、陳列して、立体式インテリア装飾体、もしくは立体式フォトフレーム、等の用途に供することができる。上記により、本考案のポップアップ式写真帳は、鑑賞時の感動喚起と利用用途を拡大する効果を持つ。
【考案を実施するための最良の形態】
【０００６】
図１、図２に示すように、見開き体１の見開き頁２に、該見開き頁２の外形からはみ出すことなく、且つ損傷し得ない状態で、写真７をプリント又は貼付する余白３を設けた第１装飾用シート４と、該第１装飾用シート４の周辺に配した第２装飾用シート５と、ポップアップ機構６を畳み込んで収蔵し、前記第１装飾用シート４と、前記第２装飾用シート５は、前記ポップアップ機構６を介して前記見開き体１の見開き頁２に連結させておく。
【０００７】
図２、図３、図４に示すように、第１装飾用シート４の写真７をプリント又は貼付する余白３以外の部分と、第２装飾用シート５と、見開き頁２の表面との、全て又はいずれかに、プリント又は貼付する写真７の内容を予測した演出用装飾８、例えば、誕生写真、入学写真、結婚写真、記念写真、イベント写真、商用写真等を予測して、該写真７を演出する効果を高める形状、図柄、彩色、文字、凹凸加工、装飾片貼り付け加工等、を施し、写真７を際立たせる演出をする。なお自作の演出用装飾８を施せる仕様として、第１装飾用シート４と、第２装飾用シート５と、前記見開き頁２の表面とが、無地白色のものを備える。
【０００８】
図３に示すように、写真７をプリント又は貼付する場合、該写真７に相応しい演出用装飾８を備えた見開き体１を選定し、該見開き体１の見開き頁２に在る第１装飾用シート４の余白３部分に、前記写真７をプリント又は貼付して用いる。貼付するための貼付用接着材料１１は、前記余白３の表面又は写真７の裏面に塗布又は取り付けて用い、貼付用接着材料１１に、写真７の取り剥がしが可能な接着材料を用いることにより、前記写真を異なる写真に貼り替えることができる。
【０００９】
図１、図２、図４に示すように、見開き体１を開く動作から生じる力を利用して、該見開き頁２に畳み込んだポップアップ機構６を作動させ、畳み込まれている第１装飾用シート４と、第２装飾用シート５を、破損しない軌跡で、前方、左右、上下、等に移動、回転させて、単層又は複数層からなる立体状の空間構成態Ａ又はＢを形成させる。この時、前記第１装飾用シート４と、前記第２装飾用シート５とは、相互の鑑賞、閲覧に支障が生じない配置で立体状の空間構成態Ａ又はＢを形成させる。
【００１０】
図２、図４に示すように、見開き体１の見開き頁２を開くと、該見開き頁２の第１装飾用シート４の余白にプリント又は貼付された写真７は、該写真７の周囲の第１装飾用シート４と第２装飾用シート５に施された演出用装飾８と共に眼前にポップアップし、見開き頁２の表面に施した演出用装飾８を背景とした立体状の空間構成態Ａ又はＢとなって鑑賞者、閲覧者にダイナミックな感動を与える。且つ貼付した写真７を張り替えることで、前記見開き体１の内容を適宜リニューアルすることができる。
【００１１】
図２、図４に示すように、見開き体１の第１装飾用シート４の余白３に写真７をプリント又は貼付して用いると立体式写真ボード９に成り、もしくは写真７に加えて挨拶の文面シート１０を貼付すると立体式グリーティングカードに成り、写真７に加えて用途に沿った文面シート１０等を貼付すると、立体式案内状、立体式ポストカード、立体式パンフレット、立体式販売促進用ＰＯＰ、等の多様な用途に供することができる。
【００１２】
図５に示すように、見開き体１は、単体としての用途のほかに、見開き体１を連接して冊子１３を構成させ、立体式の冊子としての用途に供することができる。見開き体１の左右頁の裏面に連接用接着材料１２を塗布又は取り付けた複数の見開き体１を隣接させ、該左右頁の裏面を交互に連接させて貼り合わせ、冊子１３を成す。該冊子１３は、必要に応じて、別設の本体表紙１４と貼り合わせることで、該冊子１３の保護と体裁を整えることができる。
【００１３】
図６、図７に示すように、見開き体１を連接した冊子１３は、鑑賞時にダイナミックな感動を喚起する立体式アルバム１５に供し、もしくは商用写真をプリント又は貼付して立体式パンフレット、等に供することができる。
【００１４】
図４、図７に示すように、単体の見開き体１の見開き頁２、もしくは見開き体１を連接した冊子１３の見開き頁２を開いて形成させた立体状の空間構成態Ｂ又はＤ、もしくはＡ又はＣを、クリップ式又はバインダー式の保持装具１８を用いて保持し、陳列して、立体式インテリア装飾体１６、もしくは立体式フォトフレーム１７、もしくは商用写真をプリント又は貼付して立体式販売促進用ＰＯＰ、等の用途に供することができる。
【００１５】
さらに見開き体１に、LED等による光効果装置、及びメロディや音声等の音響効果装置、等を付加することで、本考案のポップアップ式写真帳の利用用途と演出効果をさらに拡げ、高めることができる。
【図面の簡単な説明】
【００１６】
【図１】本考案に係わるポップアップ式写真帳を開く状態の図
【図２】本考案に係わるポップアップ式写真帳を、垂直に開いた状態の図
【図３】本考案に係わる第１装飾用シートの余白に写真を貼り付ける状態を示す図
【図４】本考案に係わるポップアップ式写真帳を、水平に開いた状態の図
【図５】本考案に係わる見開き体を、連接して冊子とするプロセスを示す図
【図６】本考案に係わる見開き体を連接した冊子を、垂直に開いた状態の図
【図７】本考案に係わる見開き体を連接した冊子を、水平に開いた状態の図
【符号の説明】
【００１７】
１  見開き体
２  見開き頁
３  余白
４  第１装飾用シート
５  第２装飾用シート
６  ポップアップ機構
７  写真
８  演出用装飾
９  立体式写真ボード
１０  文面シート
１１  貼付用接着材料
１２  連接用接着材料
１３  冊子
１４  本体表紙
１５  立体式アルバム
１６  立体式インテリア装飾体
１７  立体式フォトフレーム
１８  保持装具
Ａ  ポップアップ式写真帳の、垂直形態の立体状の空間構成態
Ｂ  ポップアップ式写真帳の、水平形態の立体状の空間構成態
Ｃ  見開き体を連接した冊子の、垂直形態の立体状の空間構成態
Ｄ  見開き体を連接した冊子の、水平形態の立体状の空間構成態
【図１】
0003139232.tif 000003
【図２】
0003139232.tif 000004
【図３】
0003139232.tif 000005
【図４】
0003139232.tif 000006
【図５】
0003139232.tif 000007
【図６】
0003139232.tif 000008
【図７】
0003139232.tif 000009